(57)【要約】【課題】離れた場所からでも除湿装置の運転状況と貯水槽に溜まった水の量が見え、使い勝手が向上する除湿装置を提供することを目的とする。【解決手段】貯水槽１２内部に貯水された水の量により位置が変わるように設けられたフロート１８と、このフロート１８の位置を複数段階で検知する水位検知手段２０と、複数個のＬＥＤ２２ａ、２２ｂ、２２ｃ、２２ｄ、２２ｅを設けた表示手段２３とを備え、除湿装置の運転状況と水位検知手段２０の出力に応じて表示手段２３のＬＥＤ２２ａ、２２ｂ、２２ｃ、２２ｄ、２２ｅ点灯状況を変える構成としたので、使用者が視覚的に除湿装置の運転状況と貯水槽１２内の水がどれだけ溜まっているかがわかりやすくなり、使い勝手が向上除湿装置を得られる。【選択図】図１
2007181804.tif 000002
【特許請求の範囲】
【請求項１】
空気中の水分を除湿する除湿装置において、除湿運転時は水分、あるいは水、あるいは水滴が落ちていくように表示する表示手段を備えた除湿装置。
【請求項２】
空気中の水分を除湿する除湿装置本体と、この除湿装置本体の下部に出し入れ自在に設けられる貯水槽と、貯水槽内部に貯水された水の量により位置が変わるように設けられたフロートと、このフロートの位置を複数段階で検知する水位検知手段と、除湿装置の除湿状況を表示する表示手段とを備えた除湿装置。
【請求項３】
表示手段は複数個のＬＥＤを縦に配置した構成とした請求項１または２記載の除湿装置。
【請求項４】
表示手段は複数個の縦に配置されたＬＥＤを水位検知手段で検知された貯水槽の水位が上昇するに従って下部より順次点灯する構成とした請求項２または３記載の除湿装置。
【請求項５】
表示手段は複数個の縦に配置されたＬＥＤを除湿装置の運転中に上方から下方に巡回点灯させる構成とした請求項１乃至３のいずれかに記載の除湿装置。
【請求項６】
巡回点灯させるＬＥＤは水位検知手段で検知された貯水槽の水位によって点灯したＬＥＤを除くことを特徴とする請求項４または５記載の除湿装置。
【請求項７】
ＬＥＤを巡回点灯させる速度を除湿装置運転モードにより変更することを特徴とする請求項５記載の除湿装置。
【請求項８】
ＬＥＤを巡回点灯させる速度を水位検知手段で検知された貯水槽の水位により変更することを特徴とする請求項５記載の除湿装置。
【請求項９】
除湿装置本体の周囲雰囲気湿度を検出する湿度センサを備え、ＬＥＤを巡回点灯させる速度を前記湿度センサの計測値の大小により変更することを特徴とする請求項５記載の除湿装置。
【請求項１０】
水位検知手段が貯水槽の満水を検知した時に、すべてのＬＥＤを点滅表示することを特徴とする請求項３記載の除湿装置。
【請求項１１】
除湿装置本体近傍の照度を計測する照度計を備え、前記照度計にて計測された照度の大小によりＬＥＤの輝度を変更することを特徴とする請求項３乃至９のいずれかに記載の除湿装置。
【請求項１２】
除湿装置の除湿状況を音声にて出力する音声出力手段を備え、水位検知手段で検知された貯水槽内部に貯水された水の量があらかじめ設定された水量に達した時、前記音声出力手段にて音声ガイドを出力する請求項２乃至１０のいずれかに記載の除湿装置。
【請求項１３】
除湿装置の除湿状況を音声にて出力する音声出力手段を備え、水位検知手段が貯水槽の満水を検知した時に、一定の間隔で前記音声出力手段にて音声ガイドを出力する請求項２乃至１１のいずれかに記載の除湿装置。
【発明の詳細な説明】
【技術分野】
【０００１】
本発明は、一般家庭で使用される除湿装置に関する。
【背景技術】
【０００２】
従来、この種の除湿装置の一例として、結露水を受ける排水タンクを使用した除湿機が知られている（例えば、特許文献１参照）。
【０００３】
以下、その除湿機について図１０および図１１を参照しながら説明する。図に示すように、除湿機の本体１０１内をドレン受１０２と仕切板１０３により上部室１０４と中部室１０５および下部室１０６に仕切り、上部室１０４には蒸発器１０７と凝縮器１０８および送風ファン１０９を設け、中部室１０５には蒸発器１０７からの除湿水を受ける排水タンク１１０を引き出し自在に設け、排水タンク１１０には除湿水の水位を見る水位窓１１２を設け、下部室１０６には圧縮機１１３を配置し構成していた。
【特許文献１】特開２００２−３４９８９９号公報（［００１０］〜［００１２］、図１、図２）
【発明の開示】
【発明が解決しようとする課題】
【０００４】
このような従来の除湿機では、離れた場所からでは、水位窓１１２から排水タンク１１０の水位を確認することができないという課題があり、離れた場所からでも貯水槽の水位が使用者に容易に確認できるようにして使い勝手を良くする事が要求されている。
【０００５】
また、除湿装置の運転状況が離れた場所からでは確認できないという課題があり、離れた場所からでも使用者に容易に確認できるようにして使い勝手を良くする事が要求されている。
【０００６】
本発明は、このような従来の課題を解決するものであり、離れた場所からでも貯水槽の水位と除湿装置の運転状況が容易に確認できるようにして使い勝手の良い除湿装置を提供することを目的としている。
【課題を解決するための手段】
【０００７】
本発明の除湿装置は上記目的を達成するために、空気中の水分を除湿する除湿装置において、除湿運転時は水分、あるいは水、あるいは水滴が落ちていくように表示する表示手段を備えた構成としたものである。
【０００８】
この手段により、離れた場所からでも使用者は除湿状況を容易に確認できるようになり、使い勝手の良い除湿装置が得られる。
【０００９】
また、他の手段は、空気中の水分を除湿する除湿装置本体と、この除湿装置本体の下部に出し入れ自在に設けられる貯水槽と、貯水槽内部に貯水された水の量により位置が変わるように設けられたフロートと、このフロートの位置を複数段階で検知する水位検知手段と、除湿装置の除湿状況を表示する表示手段とを備えた構成としたものである。
【００１０】
この手段により、離れた場所からでも貯水槽内に溜まった蒸溜水の水位と除湿装置の運転状況が容易に確認できるようになり、使い勝手の良い除湿装置が得られる。
【００１１】
また、他の手段は、表示手段は複数個のＬＥＤを縦に配置した構成としたものである。
【００１２】
この手段により、離れた場所からでも貯水槽内に溜まった蒸溜水の水位および除湿装置の運転状況が視覚的にわかり易くなる除湿装置が得られる。
【００１３】
また、他の手段は、表示手段は複数個の縦に配置されたＬＥＤを水位検知手段で検知された貯水槽の水位が上昇するに従って下部より順次点灯する構成としたものである。
【００１４】
この手段により、離れた場所からでも貯水槽の水位が視覚的にわかり易くなる除湿装置が得られる。
【００１５】
また、他の手段は、表示手段は複数個の縦に配置されたＬＥＤを除湿装置の運転中に上方から下方に巡回点灯させる構成としたものである。
【００１６】
この手段により、離れた場所からでも除湿装置の運転状況が視覚的にわかり易くなる除湿装置が得られる。
【００１７】
また、他の手段は、巡回点灯させるＬＥＤは水位検知手段で検知された貯水槽の水位によって点灯したＬＥＤを除くことを特徴としたものである。
【００１８】
この手段により、貯水槽の水位と除湿装置の運転状況を同一のＬＥＤで表現することができる除湿装置が得られる。
【００１９】
また他の手段は、ＬＥＤを巡回点灯させる速度を除湿装置運転モードにより変更することを特徴としたものである。
【００２０】
この手段により、除湿の進行速度が視覚的にわかり易くなる除湿装置が得られる。
【００２１】
また、他の手段は、ＬＥＤを巡回点灯させる速度を水位検知手段で検知された貯水槽の水位により変更することを特徴としたものである。
【００２２】
この手段により、除湿の進行速度が視覚的にわかり易くなる除湿装置が得られる。
【００２３】
また、他の手段は、除湿装置本体の周囲雰囲気湿度を検出する湿度センサを備え、ＬＥＤを巡回点灯させる速度を前記湿度センサの計測値の大小により変更することを特徴としたものである。
【００２４】
この手段により、除湿の進行速度が視覚的にわかり易くなる除湿装置が得られる。
【００２５】
また、他の手段は、水位検知手段が貯水槽の満水を検知した時に、すべてのＬＥＤを点滅表示することを特徴としたものである。
【００２６】
この手段により、貯水槽の満水状況を視覚的にわかりやすく出来る除湿装置が得られる。
【００２７】
また、他の手段は、除湿装置本体近傍の照度を計測する照度計照度計を備え、前記照度計にて計測された照度の大小によりＬＥＤの輝度を変更することを特徴としたものである。
【００２８】
この手段により、消費電力が少なくなり省エネ性が向上する除湿装置が得られる。
【００２９】
また、他の手段は、除湿装置の除湿状況を音声にて出力する音声出力手段を備え、水位検知手段で検知された貯水槽内部に貯された水の量があらかじめ設定された水量に達した時、前記音声出力手段にて音声ガイドを出力する構成としたものである。
【００３０】
この手段により離れた場所からでも貯水槽の水位が聴覚的にわかり易くなる除湿装置が得られる。
【００３１】
また、他の手段は、除湿装置の除湿状況を音声にて出力する音声出力手段を備え、水位検知手段が貯水槽の満水を検知した時に、一定の間隔で前記音声出力手段にて音声ガイドを出力する構成としたものである。
【００３２】
この手段により、離れた場所からでも貯水槽の満水状況を聴覚的にわかりやすくなる除湿装置が得られる。
【発明の効果】
【００３３】
本発明によれば、離れた場所からでも貯水槽の水位と除湿装置の運転状況が視覚的にわかり易くなる確認できるようになり、使い勝手が良いという効果のある除湿装置を提供できる。
【００３４】
また、消費電力が少なくなり、省エネ性が向上するという効果のある除湿装置を提供できる。
【００３５】
また、離れた場所からでも貯水槽の水位と除湿装置の運転状況が聴覚的にわかり易くなる確認できるようになり、使い勝手が良いという効果のある除湿装置を提供できる。
【発明を実施するための最良の形態】
【００３６】
本発明の請求項１記載の発明は、空気中の水分を除湿する除湿装置において、除湿運転時は水分、あるいは水、あるいは水滴が落ちていくように表示する表示手段を備えた構成としたものであり、離れた場所からでも使用者は除湿状況を容易に確認できるようになり、使い勝手が向上するという作用を有する。
【００３７】
本発明の請求項２記載の発明は、空気中の水分を除湿する除湿装置本体と、この除湿装置本体の下部に出し入れ自在に設けられる貯水槽と、貯水槽内部に貯水された水の量により位置が変わるように設けられたフロートと、このフロートの位置を複数段階で検知する構成としたものであり、離れた場所からでも貯水槽内に溜まった蒸溜水の水位と除湿装置の運転状況が容易に確認できることとなり、使い勝手が向上するという作用を有する。
【００３８】
また、請求項３記載の発明は、表示手段は複数個のＬＥＤを縦に配置した構成としたものであり、離れた場所からでも貯水槽の水位および除湿装置の運転状況が視覚的にわかり易くなり、使い勝手が向上するという作用を有する。
【００３９】
また、請求項４記載の発明は、表示手段は複数個の縦に配置されたＬＥＤを水位検知手段で検知された貯水槽の水位が上昇するに従って下部より順次点灯する構成としたものであり、離れた場所からでも貯水槽の水位が視覚的にわかり易くなり、使い勝手が向上するという作用を有する。
【００４０】
また、請求項５記載の発明は、表示手段は複数個の縦に配置されたＬＥＤを除湿装置の運転中に上方から下方に巡回点灯させる構成としたものであり、離れた場所からでも除湿装置の運転状況が視覚的にわかり易くなり、使い勝手が向上するという作用を有する。
【００４１】
また、請求項６記載の発明は、巡回点灯させるＬＥＤは水位検知手段で検知された貯水槽の水位によって点灯したＬＥＤを除くことを特徴としたものであり、貯水槽の水位と除湿装置の運転状況を同一のＬＥＤで表現することができ構成が簡単になるという作用を有する。
【００４２】
また、請求項７記載の発明は、ＬＥＤを巡回点灯させる速度を除湿装置運転モードにより変更することを特徴としたものであり、除湿の進行速度が視覚的にわかり易くなり、使い勝手が向上するという作用を有する。
【００４３】
また、請求項８記載の発明は、ＬＥＤを巡回点灯させる速度を水位検知手段で検知された貯水槽の水位により変更することを特徴としたものであり、除湿の進行速度が視覚的にわかり易くなり、使い勝手が向上するという作用を有する。
【００４４】
また、請求項９記載の発明は、除湿装置本体の周囲雰囲気湿度を検出する湿度センサを備え、ＬＥＤを巡回点灯させる速度を前記湿度センサの計測値の大小により変更することを特徴としたものであり、除湿の進行速度が視覚的にわかり易くなり、使い勝手が向上するという作用を有する。
【００４５】
また、請求項１０記載の発明は、水位検知手段が貯水槽の満水を検知した時に、すべてのＬＥＤを点滅表示することを特徴としたものであり、貯水槽の満水状況が視覚的にわかり易くなり、使い勝手が向上するという作用を有する。
【００４６】
また、請求項１１記載の発明は、除湿装置本体近傍の照度を計測する照度計を備え、前記照度計にて計測された照度の大小によりＬＥＤの輝度を変更することを特徴としたものであり、暗部ではＬＥＤの輝度を抑えることとなり消費電力が少なくなり省エネ性が向上するという作用を有する。
【００４７】
また、請求項１２記載の発明は、除湿装置の除湿状況を音声にて出力する音声出力手段を備え、水位検知手段で検知された貯水槽内部に貯された水の量があらかじめ設定された水量に達した時、前記音声出力手段にて音声ガイドを出力する構成としたものであり、離れた場所からでも貯水槽内に溜まった蒸溜水の水位が聴覚的にわかり易くなり、使い勝手が向上するという作用を有する。
【００４８】
また、請求項１３記載の発明は、除湿装置の除湿状況を音声にて出力する音声出力手段を備え、水位検知手段が貯水槽の満水を検知した時に、一定の間隔で前記音声出力手段にて音声ガイドを出力する構成としたものであり、貯水槽の満水状況が聴覚的にわかり易くなり、使い勝手が向上するという作用を有する。
【００４９】
以下、本発明の実施の形態について図面を参照しながら説明する。
【００５０】
（実施の形態１）
図１〜図４に示すように、吸込口１と排出口２を設けた箱状の除湿装置本体３内に周囲の空気を吸引および排出を行う送風ファン４と、通過する空気中の水分を吸着する吸湿材５と、吸湿材５から水分を放出するため、吸湿材５を加熱再生するための再生ヒータ６と、再生空気流路内の空気を循環させるための再生ファン７と、吸湿材５から放出される水分を凝縮させる凝縮器８と、吸込口１から吸い込まれる空気の湿度を検出する湿度センサ９と、送風ファン４と再生ヒータ６および再生ファン７の運転を制御する制御部１０と、使用者が運転モードを切り替えるための操作部１１と、除湿装置本体３の下部に出し入れ自在に設けられ、凝縮器８で凝縮された水分を貯める貯水槽１２を設ける。
【００５１】
また、操作部１１には、除湿装置の運転を開始するための電源スイッチ１３ａと、除湿運転モードを切り替える除湿切替弱スイッチ１３ｂおよび除湿切替強スイッチ１３ｃからなるスイッチ入力部１３と、電源が入っていることを表示する運転表示部１４ａと除湿運転の状態を表示する弱運転表示部１４ｂと強運転表示部１４ｃと貯水槽１２が満水になったときに点灯する満水表示部１４ｄからなる表示部１４と、運転状況を音声にて出力する音声出力手段１５と照度計１６を設ける。
【００５２】
また、貯水槽１２の内部には、貯水槽１２に溜まった水の量により上下する磁石１７を設けたフロート１８が取り付けられ、貯水槽１２の前面には貯水槽１２に溜まった水の量が見える開口部１９が設けられ、フロート１８の上下移動に相対して水位検知手段２０が取り付けられ、水位検知手段２０は水位を検知する磁石１７の磁力により反応するホール素子２１ａ、２１ｂ、２１ｃを複数段階に設ける。
【００５３】
これにより貯水槽１２の水位はホール素子２１ａ、２１ｂ、２１ｃがＯＮすることで検知できる。
【００５４】
また、除湿装置本体３内部に設けた貯水槽１２に溜まった水の量が見える開口部１９の上に位置するところには、除湿装置本体３の外側から見える位置に設けられる複数個のＬＥＤ２２ａ、２２ｂ、２２ｃ、２２ｄ、２２ｅを設けた表示手段２３を設ける。
【００５５】
上記構成において、除湿装置本体３の外側から見える位置に設けられる表示手段２３の複数個のＬＥＤ２２ａ、２２ｂ、２２ｃ、２２ｄ、２２ｅの消灯および点灯動作について説明する。
【００５６】
電源スイッチ１３ａが押され除湿装置の運転が開始されるとＬＥＤ２２ａ、２２ｂ、２２ｃ、２２ｄ、２２ｅは図５（ａ）〜（ｆ）に示すように、すべてＯＦＦ→ＬＥＤ２２ｅ点灯→ＬＥＤ２２ｄ点灯→ＬＥＤ２２ｃ点灯→ＬＥＤ２２ｂ点灯→ＬＥＤ２２ａ点灯→すべてＯＦＦ→ＬＥＤ２２ｅ点灯→・・・の順番で巡回点灯を繰り返す。
【００５７】
除湿装置の運転が続き貯水槽１２の水位が上昇しホール素子２１ａがＯＮした場合、ＬＥＤ２２ａ、２２ｂ、２２ｃ、２２ｄ、２２ｅは図６（ａ）〜（ｅ）に示すようにＬＥＤ２２ａ点灯→ＬＥＤ２２ａとＬＥＤ２２ｅ点灯→ＬＥＤ２２ａとＬＥＤ２２ｄ点灯→ＬＥＤ２２ａとＬＥＤ２２ｃ点灯→ＬＥＤ２２ａとＬＥＤ２２ｂ点灯→ＬＥＤ２２ａ点灯→ＬＥＤ２２ａとＬＥＤ２２ｅ点灯→・・・の順番で巡回点灯を繰り返す（ＬＥＤ２２ａは常に点灯状態）。
【００５８】
さらに除湿装置の運転が続き貯水槽１２の水位が上昇しホール素子２１ｂがＯＮした場合は、図７（ａ）〜（ｄ）に示すようにＬＥＤ２２ａとＬＥＤ２２ｂ点灯→ＬＥＤ２２ａとＬＥＤ２２ｂとＬＥＤ２２ｅ点灯→ＬＥＤ２２ａとＬＥＤ２２ｂとＬＥＤ２２ｄ点灯→ＬＥＤ２２ａとＬＥＤ２２ｂとＬＥＤ２２ｃ点灯→ＬＥＤ２２ａとＬＥＤ２２ｂ点灯→ＬＥＤ２２ａとＬＥＤ２２ｂとＬＥＤ２２ｅ点灯→・・・順番で巡回点灯を繰り返す（ＬＥＤ２２ａとＬＥＤ２２ｂは常に点灯状態）。
【００５９】
このようにＬＥＤ２２ａ、２２ｂ、２２ｃ、２２ｄ、２２ｅが上部から順次巡回点灯することで水分が貯水槽１２に落ちていくように見え除湿装置が運転しているが離れた場所でも容易に確認できる。
【００６０】
なお、除湿装置が空気中の水分を除去し、それを貯水槽１２に貯水していることをイメージとして表示するのも含み、水分、あるいは水、あるいは水滴が貯水槽１２に落ちていくような表示としている。水分は、除湿した空気中の水分であり、水、あるいは水滴などであり、その除湿した水分である水、水滴が、点滅光、断続光、連続光、光の強度、輝度が強弱が付いた状態などにより、上から下に落ちるように、表示するものでもある。空気中から除湿した水分が、水滴として、下の貯水槽１２に落ちるように見える表示としたものも含むものでもある。
【００６１】
なお、図５から図７に示したＯＦＦしているＬＥＤを低輝度で点灯させても同様の効果が得られるのはいうまでもない。
【００６２】
また、ＬＥＤ２２ｅについては輝度を徐々に上げていき点灯させる方法を取ればさらに視覚効果を高めることができる。
【００６３】
また、ＬＥＤの点灯色を貯水槽１２の水位を現すために点灯させるＬＥＤは赤色、水分が貯水槽１２に落ちていくように見せるためのＬＥＤは青色というようにＬＥＤ点灯色を表示目的に応じて変更することでさらに視覚効果を高めることができる。
【００６４】
また、貯水槽１２の水位が上がる毎に点灯させるＬＥＤの数を増やさずにＬＥＤ２２ａのみを水位を現すＬＥＤに使用し、貯水槽１２の水位が上がる毎に青→黄→赤というように点灯色を変更してもよい。
【００６５】
また、表示手段２３は複数個のＬＥＤを縦に一列配置する構成としているが複数列で構成してもいいし、縦ではなく斜め方向に構成してもいい。さらに図８に示すようにＬＥＤをＶ字型に配置する構成としてもいい。
【００６６】
また、表示手段２３を図９に示すように複数個のＬＥＤを配置した構成としてもよい。
【００６７】
ＬＥＤの輝度を低輝度、中輝度、高輝度の３段階とし、ＬＥＤ２４ｄ、２４ｈを低輝度、ＬＥＤ２４ａ、２４ｃ、２４ｅ、２４ｇ、２４ｉを中輝度、ＬＥＤ２４ｂ、２４ｆを高輝度とする。ＬＥＤ２４ａ→ＬＥＤ２４ｂ→ＬＥＤ２４ｃの順で、ＬＥＤ２４ｈまで順次点灯するＬＥＤを切り換えていく。
【００６８】
上記動作を繰り返すことにより、ＬＥＤの輝度が中→高→中→低→中→高→中→低→中と変化しながら、かつＬＥＤの点灯位置が左右に振れながら下方に向かうため、螺旋状に水滴が落ちていくように見えるようになる。
【００６９】
このように輝度変化と順次巡回点灯を組み合わせることにより、水滴が落下するイメージを表示することができることとなり、使用者に対する視覚効果は上記と同じである。
【００７０】
また、表示手段２３には液晶を用いてもいい。
【００７１】
また、貯水槽１２の水位が上昇するに従ってＬＥＤ２２ｅとＬＥＤ２２ｄを下部から点灯するので貯水槽１２の水位が離れた場所でも容易に確認できる。
【００７２】
また、ＬＥＤを巡回点灯させる速度は除湿装置運転モードにより変化する。つまり、除湿切替強スイッチ１３ｃが押され除湿装置が除湿装置運転モードの強運転している時は、除湿切替弱スイッチ１３ｂが押され除湿装置が除湿装置運転モードの弱運転している時よりも速く巡回点灯させることで除湿量の強弱が離れた場所からでも容易に確認できる。
【００７３】
なお、ＬＥＤを巡回点灯させる速度を変更することで除湿量の強弱が離れた場所からでも容易に確認できるようにする方法としては、貯水槽１２の水位により変更する方法や湿度センサ９の計測値の大小によって変更する方法でもよい。
【００７４】
さらに除湿装置の運転が続き貯水槽１２の水位が上昇しホール素子２１ｃがＯＮした場合は貯水槽１２は満水状態となりＬＥＤ２２ａ、２２ｂ、２２ｃ、２２ｄ、２２ｅはすべて点滅状態となる。これにより貯水槽１２が満水状態になっていることを離れた場所でも容易に確認できる。
【００７５】
以上の構成により、表示手段２３に除湿状況として、強運転あるいは弱運転などの除湿装置運転モード、貯水槽１２の水位上昇度により認識されるその時々の除湿能力、除湿速度、貯水槽１２の水位により認識される除湿量、除湿運転しているか否かを示す除湿運転状態などの除湿状況を表示し、使用者に通知することができる。
【００７６】
また、照度計１６によって除湿装置の近傍が暗いと判断された場合はＬＥＤ２２ａ、２２ｂ、２２ｃ、２２ｄ、２２ｅの輝度は抑えられる。このことにより消費電力が少なくなり省エネ性が向上する。
【００７７】
次に音声出力手段１５の動作について説明する。音声出力手段１５はホール素子２１ａがＯＦＦからＯＮに変化した時に「貯水槽の水位が中レベルになりました」という音声ガイドを出力し、ホール素子２１ｂがＯＦＦからＯＮに変化した時に「貯水槽の水位が高レベルになりました」という音声ガイドを出力し、また、ホール素子２１ｃがＯＮしている時には「貯水槽の水位が満水になりました」という音声ガイドを一定の間隔で出力する。これにより貯水槽１２に溜まっている水の量あるいは貯水槽１２が満水になっていることを離れた場所でも容易に確認できる。
【００７８】
このように実施の形態１の発明によれば、貯水槽１２内部に貯水された水の量により位置が変わるように設けられたフロート１８と、このフロート１８の位置を複数段階で検知する水位検知手段２０と、複数個のＬＥＤ２２ａ、２２ｂ、２２ｃ、２２ｄ、２２ｅを設けた表示手段２３とを備え、除湿装置の運転状況と水位検知手段２０の出力に応じて表示手段２３のＬＥＤ２２ａ、２２ｂ、２２ｃ、２２ｄ、２２ｅ点灯状況を変える構成としたので、使用者が視覚的に除湿装置の運転状況と貯水槽１２内の水がどれだけ溜まっているかがわかりやすくなり、使い勝手が向上することとなる。
【００７９】
また、水位検知手段２０の出力に応じて音声出力手段１５から音声ガイダンスを出力する構成としたので、使用者が聴覚的に貯水槽１２内の水がどれだけ溜まっているかがわかりやすくなり、使い勝手が向上することとなる。
【産業上の利用可能性】
【００８０】
複数のＬＥＤ点灯状況を変更し、装置の運転状況や水の溜まった状態を確認しやすい技術を、水冷扇や加湿機の貯水槽の水位を確認する用途にも適用できる。
【図面の簡単な説明】
【００８１】
【図１】本発明の実施の形態１の除湿装置の構成を示す図
【図２】同除湿装置の斜視図
【図３】同除湿装置の操作部の正面図
【図４】同除湿装置のブロック図
【図５】同除湿装置のホール素子２１ａ、２１ｂ、２１ｃがすべてＯＦＦの時の表示手段の動作を示す図
【図６】同除湿装置のホール素子２１ａがＯＮの時の表示手段の動作を示す図
【図７】同除湿装置のホール素子２１ｂがＯＮの時の表示手段の動作を示す図
【図８】同除湿装置の表示手段の構成図
【図９】同除湿装置の表示手段の構成図
【図１０】従来の除湿機の構成を示す図
【図１１】同除湿機の斜視図
【符号の説明】
【００８２】
３    除湿装置本体
９    湿度センサ
１２  貯水槽
１５  音声出力手段
１６  照度計
１８  フロート
１９  開口部
２０  水位検知手段
２２ａ〜２２ｅ  ＬＥＤ
２３  表示手段
２４ａ〜２４ｉ  ＬＥＤ
【図１】
2007181804.tif 000003
【図２】
2007181804.tif 000004
【図３】
2007181804.tif 000005
【図４】
2007181804.tif 000006
【図５】
2007181804.tif 000007
【図６】
2007181804.tif 000008
【図７】
2007181804.tif 000009
【図８】
2007181804.tif 000010
【図９】
2007181804.tif 000011
【図１０】
2007181804.tif 000012
【図１１】
2007181804.tif 000013